(57)【要約】【課題】電界通信装置の電極とリード線とを保護し、尚且つユーザーが電極の操作を意識することなく容易に電界通信できるようにする。【解決手段】電界通信装置は、情報端末のスロットに挿入可能な形状で且つ挿入した状態においてスロットから外部に突出する先端部を有する筐体３を有し、尚且つ通信回路１とインタフェース２とを内部に配置する筐体３の先端部に電極４を配置する。これにより、従来よりも安定的な構造となる。また、リード線６が邪魔となる問題や、電極４が電界通信時に電界伝達媒体から外れる可能性を回避することが可能である。さらに、外圧を直に受けることにより生じるリード線６の断線や電極４の破損等から免れることが可能である。【選択図】図１
2007194921.tif 000002
【特許請求の範囲】
【請求項１】
情報端末のスロットに挿入可能な形状で且つ挿入した状態においてスロットから外部に突出する先端部を有する筐体と、
前記筐体の内部に配置された電界通信用の通信回路と、
前記先端部に配置され、筐体の内部で前記通信回路と電気的に接続される電界通信用の電極と、
を有することを特徴とする電界通信装置。
【請求項２】
前記電極は、前記先端部の下面部に配置されることを特徴とする請求項１記載の電界通信装置。
【請求項３】
前記電極は、前記先端部の上面部に配置されることを特徴とする請求項１又は２記載の電界通信装置。
【請求項４】
前記電極が配置された電極部の筐体本体に対する配置角度を調整して当該電極部を前記情報端末の底面部に配置可能な回転機構をさらに有することを特徴とする請求項１記載の電界通信装置。
【請求項５】
前記回転機構は、ヒンジであることを特徴とする請求項４記載の電界通信装置。
【請求項６】
前記電極部の前記筐体本体に対する距離を伸縮により調整可能な伸縮機構をさらに有することを特徴とする請求項４又は５記載の電界通信装置。
【請求項７】
前記回転機構は、前記電極部の前記筐体の本体に対する配置角度を伸縮により調整可能な伸縮部材であることを特徴とする請求項４記載の電界通信装置。
【発明の詳細な説明】
【技術分野】
【０００１】
本発明は、通信データに基づいて電界を電界伝達媒体に誘起して通信を行う電界通信装置に関する。
【背景技術】
【０００２】
従来、電界を伝達する電界伝達媒体に対して送信すべきデータに基づく電界を誘起させ、また電界伝達媒体に誘起された電界を検出してデータ通信を行う電界通信装置が提案されている（特許文献１参照）。
【０００３】
このような電界通信装置を適用して、例えば、情報端末の所定のスロットに接続することが可能なプラグイン型の電界通信装置が開発されている。図１３に示すように、従来のプラグイン型電界通信装置は、通信回路１、インタフェース２、電極４、及びリード線６から構成されており、通信回路１とインタフェース２については筐体３の内部に配置されている。
【特許文献１】特開２００３−３２４３９５公報
【発明の開示】
【発明が解決しようとする課題】
【０００４】
しかしながら、既存のプラグイン型電界通信装置の電極は、外部に露出された状態でリード線により通信回路に接続されているため、不安定な構造であり、また操作上も邪魔になるという問題がある。更に、使用時や搬送時に外圧を直に受けることにより断線が起こり易く信頼性に欠けるという問題がある。
【０００５】
また、電界通信を行う際、電極を電界伝達媒体に接触させるという操作が必要であるため、取り扱いにユーザーの手間を要するという問題がある。
【０００６】
更に、電極が電界通信中に電界伝達媒体から外れてしまう可能性があるため、動作が不安定となる問題がある。
【０００７】
本発明は、上記に鑑みてなされたものであり、その課題とするところは、電界通信装置の電極とリード線とを保護し、尚且つユーザーが電極の操作を意識することなく容易に電界通信し得る電界通信装置を提供することにある。
【課題を解決するための手段】
【０００８】
請求項１に記載の本発明に係る電界通信装置は、情報端末のスロットに挿入可能な形状で且つ挿入した状態においてスロットから外部に突出する先端部を有する筐体と、前記筐体の内部に配置された電界通信用の通信回路と、前記先端部に配置され、筐体の内部で前記通信回路と電気的に接続される電界通信用の電極と、を有することを特徴とする。
【０００９】
本発明にあっては、電極は筐体内部で通信回路と電気的に接続されているので、外部に露出してリード線により通信回路に接続された従来の電極よりも安定的な構造となる。これにより、電界通信時に、電界伝達媒体から電極が外れることによる動作上の不安定問題や、リード線が邪魔になってしまうという問題を回避することが可能である。また、ユーザーの不注意に起因するリード線の切断や、予測し得ない外圧による破損等から免れることを可能とする。更に、電極は筐体に直に配置されているので、電界通信装置を情報端末に接続するだけで電界通信が可能となり、電極を電界伝達媒体に接触させるという操作からユーザーを開放することが可能となる。
【００１０】
請求項２に記載の本発明に係る電界通信装置は、前記電極が、前記先端部の下面部に配置されることを特徴とする。
【００１１】
本発明にあっては、例えば、机を電界伝達媒体として使用する場合、机上に配置された情報端末に電界通信装置を装着することにより電界通信を可能とし、電界通信装置使用時のユーザーの利便性を向上させる。
【００１２】
請求項３に記載の本発明に係る電界通信装置は、前記電極が、前記先端部の上面部に配置されることを特徴とする。
【００１３】
本発明にあっては、例えば、生体を電界伝達媒体として使用する場合、電界通信装置の上面部にある電極へ生体を接触させることにより、容易に電界通信を行うことができる。
【００１４】
請求項４に記載の本発明に係る電界通信装置は、前記電極が配置された電極部の筐体本体に対する配置角度を調整して当該電極部を前記情報端末の底面部に配置可能な回転機構をさらに有することを特徴とする。
【００１５】
本発明にあっては、回転機構により電極部を情報端末の底面に配置することにより、電極部が電界伝達媒体に密着する状態を容易に確保することを可能とする。
【００１６】
請求項５に記載の本発明に係る電界通信装置は、前記回転機構が、ヒンジであることを特徴とする。
【００１７】
本発明にあっては、上述した回転機構としてヒンジを用いることで回転機構を簡易な構成で実現する。
【００１８】
請求項６に記載の本発明に係る電界通信装置は、前記電極部の前記筐体本体に対する距離を伸縮により調整可能な伸縮機構をさらに有することを特徴とする。
【００１９】
本発明にあっては、例えば、机を電界伝達媒体として利用した場合、伸縮機構の伸長により、容易に電極部を机に接触させることを可能とする。
【００２０】
請求項７に記載の本発明に係る電界通信装置は、前記回転機構が、前記電極部の前記筐体の本体に対する配置角度を伸縮により調整可能な伸縮部材であることを特徴とする。
【００２１】
本発明にあっては、例えば、机を電界伝達媒体として利用した場合、伸縮調整により容易に電極部を机に接触させることが可能であり、尚且つ回転機構により電極部を情報端末の底面に配置することにより、電極部が電界伝達媒体に密着する状態を容易に確保することを可能とする。
【発明の効果】
【００２２】
本発明によれば、電界通信装置の電極とリード線とを保護し、尚且つユーザーが電極の操作を意識することなく容易に電界通信を行うことができる。
【発明を実施するための最良の形態】
【００２３】
以下、本発明の実施の形態について図面を用いて説明する。
【００２４】
図１は、第１の実施形態に係る電界通信装置の断面構成を示す模式図である。同図の電界通信装置は、情報端末のスロットに挿入可能な形状で且つ挿入した状態においてスロットから外部に突出する先端部を有する筐体３と、筐体３の内部に配置された電界通信用の通信回路１及びインタフェース２と、筐体３の先端部に配置され筐体３の内部でリード線６により通信回路１と接続される電界通信用の電極４とを有する。電極４は、絶縁膜５により保護され尚且つ筐体３の先端部の下面部に配置されている。筐体３の材質は絶縁性であり、例えばプラスチックケース等を用いる。
【００２５】
本実施の形態によれば、図１３に示すような外部に露出された状態でリード線６により通信回路１に接続された電極４とは異なり、電極４は絶縁膜５により保護され尚且つ通信回路１とインタフェース２とを内部に配置する筐体３に直に配置される状態であるので、従来よりも安定的な構造となる。従い、リード線６が邪魔となる問題や、電極４が電界通信時に電界伝達媒体から外れる可能性を回避することが可能である。また、外圧を直に受けることにより生じるリード線６の断線や電極４の破損等から免れることを可能とする。
【００２６】
図２は、図１に示す電界通信装置７を情報端末９に装着した場合の斜視図である。電界通信装置７は情報端末９のスロットに挿入した状態において、スロットから外部に突起する先端部を有している。
【００２７】
図３は、第１の実施形態に係る電界通信装置７の使用形態を示す図である。電極４は、電界通信装置７を電界伝達媒体８の上に載置された情報端末９のスロットに挿入した状態において、スロットから突起した先端部の下面部に配置されている。例えば、机を電界伝達媒体８とする場合、電界通信装置７は、情報端末９の制御部１０から受ける電界通信に係る送信データを受け取ると、電極４から電界を机に誘起して、別の場所に設けられている他のトランシーバ１１へ送信する。一方、他のトランシーバ１１により誘起された電界を電極４で受信した場合には、電界通信装置７は、受信データを情報端末９へ送信する。
【００２８】
本実施の形態によれば、電界通信装置７を情報端末９に接続するだけで電界通信が可能となるため、電極４を机に接触させる手間からユーザーを開放することが可能になる。
【００２９】
図４は、電界通信装置に使用される通信回路１の構成を示すブロック図である。図４に示すように、情報端末９と電極４との間を接続する通信回路１は、インタフェース２を介して情報端末９に接続される。通信回路１は、この情報端末９からインタフェース２を介して他の情報端末９に送信するための送信データを受け取ると、レベル調整回路１０１で送信データの信号振幅を調整してから、送信回路１０２を介して送信電極４ａに供給するようになっている。
【００３０】
送信電極４ａは、送信回路１０２から送信データが供給されると、この送信データに対応する電界を電界伝達媒体８に誘起する。この誘起された電界は、電界伝達媒体８を伝達して、他の情報端末９における電界通信装置の受信電極４ｂで受信される。
【００３１】
電界検出光学部１０３は、受信電極４ｂで受信した電界が供給され、電界光学手法を利用した電界検出光学部１０３内で別途発生するレーザ光を偏光変化させ、この偏光変化したレーザ光を受光回路１０４で電気信号に変換する。この電気信号は、バンドパスフィルタ１０５での帯域制限により不要な雑音が除去され、更に波形整形回路１０６で波形が整形されてから、インタフェース２を介して情報端末９に供給されるようになっている。
【００３２】
なお、送信電極４ａと受信電極４ｂは、一体化して１つの電極４で各電極を構成してもよいものである。
【００３３】
上記にて説明した電界通信装置を適用したシステムの一例としては、図５に示すように、電界通信装置７ａがスロットに挿入された情報端末９ａを電界伝達媒体８である机上に配置して、電界通信装置７ａから送信される電界を机に誘起することにより、他方の情報端末９ｂに取り付けられた電界通信装置７ｂと電界通信を行うシステムの構成が考えられる。
【００３４】
図６は、第２の実施形態に係る電界通信装置の断面構成を示す模式図である。図３で説明した使用形態とは異なり、電極４は筐体３の上面部に配置されている。その他の構成は、図１で説明したものと同様である。例えば、人体を電界伝達媒体８として使用する場合、電極４から誘起された電界は、指先を電極４に接触させることにより、指を介して手首に配置された携帯型トランシーバ１２へ送信される。
【００３５】
本実施の形態によれば、生体を電界通信装置の上面部にある電極４へ接触させることにより、容易に携帯型トランシーバ１２と電界通信を行うことができる。
【００３６】
図７は、第３の実施形態に係る電界通信装置の断面構成を示す模式図である。第１電極４ｃは筐体３の下面部に配置され、第２電極４ｄは筐体３の上面部に配置されており、第１電極４ｃと第２電極４ｄとは、リード線６により通信回路１に接続されている。その他の構成は、図１で説明したものと同様である。電界伝達媒体としては、例えば机と生体との両方でもよい。
【００３７】
本実施の形態によれば、電極が筐体３の下面部及び上面部に配置されているので、図３及び図６にて説明した両方の効果を同時に得ることが可能となる。すなわち、第１電極４ｃを机に接触させる手間からユーザーを解放し、さらに第２電極４ｄへ生体を接触させることにより容易に電界通信を行うことができる。
【００３８】
図８は、第４の実施形態に係る電界通信装置の斜視図であり、図９は、その断面構成を示す模式図である。本電界通信装置は、絶縁膜５により保護された電極４を有する電極部１３と、電極部１３と筐体３との間に接続される伸縮機構１４と、電極部１３と伸縮機構１４との接続部分に位置する回転機構１５を有している。伸縮機構１４は、電極部１３と筐体３との間隔を矢印５０で示した上下方向に伸縮調整が可能である。また、回転機構１５は、電極部１３と伸縮機構１４とを接続する位置における支点を中心に電極部１３を矢印５１で示した方向に回転可能とする。リード線６は、伸縮機構１４の内部を介して筐体３と電極４とを接続する。その他の構成は、図１で説明したものと同様である。
【００３９】
図１０は、本電界通信装置の使用形態を示す図である。例えば、机を電界伝達媒体８とする場合、電極部１３が机に到達するまで伸縮機構１４を伸長させることができる。更に、ヒンジを回転機構１５として利用した場合、ヒンジを軸として電極部１３を情報端末９の底面方向に回転させることも可能である。
【００４０】
本実施の形態によれば、電極部１３を容易に情報端末９の底面に配置することを可能とし、電界通信時に電極部１３が電界伝達媒体から外れる可能性を回避できる。
【００４１】
図１１は、第５の実施形態に係る電界通信装置の断面構成を示す模式図である。電界通信装置は、絶縁膜５により保護された電極４を有する電極部１３と、電極部１３と筐体３とに接続される伸縮部材１６とを有している。また、リード線６は、伸縮部材１６の内部を介して筐体３と電極４とを接続する。伸縮部材１６はジャバラ構造を有し、電極部１３を矢印５２及び矢印５３方向に伸縮及び回転させることを可能とする。その他の構成は、図１で説明したものと同様である。
【００４２】
図１２は、本電界通信装置の使用形態を示す図である。例えば、机を電界伝達媒体８として利用した場合、伸縮部材１６により伸縮と回転とが同時に可能となるので、電極部１３が机に到着するまで伸縮部材１６を伸長させ、更に電極部１３を情報端末９の底面方向に回転させることができる。
【００４３】
本実施の形態によれば、電極部１３を容易に情報端末９の底面に配置することを可能とし、電界通信時に電極部１３が電界伝達媒体から外れる可能性を回避できる。更に、図１０で説明した第４の使用形態よりも少ない構成要素で、同じ効果を得ることができる。
【００４４】
以上説明した各実施形態では、電極は送信と受信とを一体化した構成を有するものであるが、送信または受信どちらか一方の構成のみを有するものとしてもよい。
【図面の簡単な説明】
【００４５】
【図１】第１の実施形態に係る電界通信装置の断面構成を示す模式図である。
【図２】図１に示す電界通信装置を情報端末に装着した場合の斜視図である。
【図３】第１の実施形態に係る電界通信装置の使用形態を示す図である。
【図４】電界通信装置に使用される通信回路の構成を示すブロック図である。
【図５】電界通信装置を机のような台の上面上に設けた場合の例を示す図である。
【図６】第２の実施形態に係る電界通信装置の断面構成を示す模式図である。
【図７】第３の実施形態に係る電界通信装置の断面構成を示す模式図である。
【図８】第４の実施形態に係る電界通信装置の斜視図である。
【図９】第４の実施形態に係る電界通信装置の断面構成を示す模式図である。
【図１０】第４の実施形態に係る電界通信装置の使用形態を示す図である。
【図１１】第５の実施形態に係る電界通信装置の断面構成を示す模式図である。
【図１２】第５の実施形態に係る電界通信装置の使用形態を示す図である。
【図１３】従来のプラグイン型電界通信装置の断面構成を示す模式図である。
【符号の説明】
【００４６】
１…通信回路
２…インタフェース
３…筐体
４…電極
４ａ…送信電極
４ｂ…受信電極
４ｃ…第１電極
４ｄ…第２電極
５…絶縁膜
６…リード線
７，７ａ，７ｂ，…電界通信装置
８…電界伝達媒体
９，９ａ，９ｂ…情報端末
１０…制御部
１１…トランシーバ
１２…携帯型トランシーバ
１３…電極部
１４…伸縮機構
１５…回転機構
１６…伸縮部材
５０，５１，５２，５３…矢印
１０１…レベル調整回路
１０２…送信回路
１０３…電界検出光学部
１０４…受光回路
１０５…バンドパスフィルタ
１０６…波形整形回路
【図１】
2007194921.tif 000003
【図２】
2007194921.tif 000004
【図３】
2007194921.tif 000005
【図４】
2007194921.tif 000006
【図５】
2007194921.tif 000007
【図６】
2007194921.tif 000008
【図７】
2007194921.tif 000009
【図８】
2007194921.tif 000010
【図９】
2007194921.tif 000011
【図１０】
2007194921.tif 000012
【図１１】
2007194921.tif 000013
【図１２】
2007194921.tif 000014
【図１３】
2007194921.tif 000015